(57)【要約】【課題】プリント写真を一列にかつ隙間なく密に並べた状態でそのプリント面を連続状に透明フィルムでラミネートしたものとなしうると共に、同時に反対面に両面テープを貼込んだものとなしうるラミネート装置を提供する。【解決手段】プリント写真を積み重ね状態に収容する写真供給カセット２と、これを着脱自在に装着可能としたラミネータ本体機１とを具備する。ラミネーター本体機１には、第１〜第３のヒートローラ４、５、６と、ラミネートフィルム供給部３と、両面テープ供給部７と、１対の圧着ローラ８、９とを備える。第１ヒートローラ４を写真供給カセット２の出口の下面側に配置し、該カセット内から写真を最下位のものから順次１枚づつラミネートフィルムＬＦ上に接着捕捉させることで順次連出させるものとする。【選択図】  図１
2009220393.tif 000002
【特許請求の範囲】
【請求項１】
多数枚のプリント写真を積重ね状に収容し、その最下位のものから順次１枚づつ前方に導出可能とした写真供給カセットと、
該写真供給カセットを着脱自在に装着可能としたラミネーター本体機とからなり、
該ラミネーター本体機は、片面に接着剤層を有するラミネートフィルムの供給リールを懸架するラミネートフィルム供給部と、
前記写真供給カセットの出口近傍位置の下方に設置され、前記ラミネートフィルム供給部から繰り出されたラミネートフィルムが接着剤層を上向きにして導かれる第１ヒートローラと、
両面接着テープの供給リールを懸架する両面テープ供給部と、
前記第１ヒートローラの前方位置に配置され、ラミネートフィルム上に粘着されたプリント写真列の裏面側に、前記両面テープ供給部から繰り出された両面接着テープを被覆状態に接着一体化する上下１対の第２ヒートローラ及び第３ヒートローラと、
前記第２及び第３ヒートローラの更に前方に配置され、ラミネートフィルム、プリント写真及び両面接着テープの積層物を両面から所定圧力で挟圧しつつ前方に送り出す１対の圧着ローラとを備え、
ラミネーター本体機の駆動により、前記第１ヒートローラ上でラミネートフィルムの上面側の活性化された接着剤層に、写真供給カセット内の最下位の１枚のプリント写真の前縁部下面を接着捕捉させ、該プリント写真をラミネートフィルムの走行に連行させてカセット内から引き出したのち、続いて順次次位のプリント写真を同様にラミネートフィルムに連行させるものとすることにより、ラミネートフィルム上に多数枚のプリント写真をほぼ隙間なく直列配列状態に接着せしめた写真配列シートを作成し、
続いて、この写真配列シートの写真列面上に、前記両面テープ供給部から繰出された両面接着テープを重ね、前記第２及び第３ヒートローラによって接着したのち、更に前記圧着ローラ間に通して強固に積層一体化させるものとなされていることを特徴とする、プリント写真のラミネート装置。
【請求項２】
多数枚のプリント写真を積重ね状に収容し、その最下位のものから順次１枚づつ前方に導出可能とした写真供給カセットと、
該写真供給カセットを着脱自在に装着可能としたラミネーター本体機とからなり、
該ラミネーター本体機は、両面接着テープの供給リールを懸架する両面テープ供給部と、
前記写真供給カセットの出口近傍位置の下方に設置され、前記両面テープ供給部から繰り出された両面接着テープが粘着剤層を上向きにして導かれる搬送ローラと、
片面に接着剤層を有するラミネートフィルムの供給リールを懸架するラミネートフィルム供給部と、
前記搬送ローラの前方位置に配置され、両面接着テープ上に粘着されたプリント写真列の裏面側に、前記ラミネートフィルム供給部から繰り出されたラミネートフィルムを被覆状態に接着一体化する上下１対の第１ヒートローラ及び第２ヒートローラと、
前記第１及び第２ヒートローラの更に前方に配置され、両面接着テープ、プリント写真及びラミネートフィルムの積層物を両面から所定圧力で挟圧しつつ前方に送り出す１対の圧着ローラとを備え、
ラミネーター本体機の駆動により、前記搬送ローラ上で両面接着テープの上面側の粘着剤層に、写真供給カセット内の最下位の１枚のプリント写真の前縁部下面を接着捕捉させ、該プリント写真を両面接着テープの走行に連行させてカセット内から引き出したのち、続いて順次次位のプリント写真を同様に両面接着テープに連行させるものとすることにより、両面接着テープ上に多数枚のプリント写真をほぼ隙間なく直列配列状態に接着せしめた写真配列シートを作成し、
続いて、この写真配列シートの写真列面上に、前記ラミネートフィルム供給部から繰出されたラミネートフィルムを重ね、前記第１及び第２ヒートローラによって接着したのち、更に前記圧着ローラ間に通して強固に積層一体化させるものとなされていることを特徴とする、プリント写真のラミネート装置。
【請求項３】
第１ヒートローラの真上位置に、写真供給カセットに装填されたプリント写真の積層物の前縁部を弾力的に圧下するプレスブロックが設けられている請求項１または２に記載のプリント写真のラミネート装置。
【請求項４】
写真供給カセットの出口に、該カセット内の最下位の１枚のプリント写真のみの導出を許容し、その上の２枚目以降のプリント写真の同時導出移動を阻止するべくせき止め作用を果すセパレーターが設けられている請求項１〜３のいずれか１項に記載のプリント写真のラミネート装置。
【請求項５】
写真供給カセットの出口近傍位置の下方に、カセット内に収容されたプリント写真がラミネーター本体機の非作動時においてラミネートフィルムに接触するのを防止する解除可能なプロテクターが設けられている請求項１〜４のいずれか１項に記載のプリント写真のラミネート装置。
【発明の詳細な説明】
【技術分野】
【０００１】
本発明は、簡易アルバムの製本に用いられるプリント写真のラミネートシートを製作するラミネート装置、更に詳しくは複数枚のプリント写真を一列に並べた状態で、そのプリント面に透明な帯状のフィルムをラミネートして写真付きの帯状シートを形成すると共に、その写真列の裏面側に両面接着テープを貼着し、隣接する２枚の写真どおしをそれらの間で折曲して背中合わせに接着し、２枚１組の写真シートユニットまたはその連続体を自動製作するラミネート装置に関する。
【背景技術】
【０００２】
近年、従来の伝統的ともいえる写真アルバム、即ち、多数枚の写真を台紙に貼った冊子状の分厚い製本アルバムに代って、いわゆるフォトブックと呼ばれるような簡易型のアルバムが多く使われるようになってきている。
【０００３】
この簡易アルバムは、例えば下記特許文献１，２に示されるように、２枚のプリント写真を横に並べて、これらのプリント写真のプリント面に１枚の透明なラミネートフィルムを貼付けて接合したのち、少なくとも一方の写真の裏面に両面テープを貼り付け、ラミネートされたプリント写真の背面同士を貼り合わせて写真シートユニットを作成し、この写真シートユニットを複数枚積み重ね、表紙に綴じて製本としたものである。
【０００４】
従来、上記のようなプリント写真をラミネートした写真シートユニットの作成には、下記特許文献３に示されるような専用のラミネート装置が使用されていた。
【特許文献１】特開平５−９６８８１号公報
【特許文献２】特開平１０−５８８５８号公報
【特許文献３】特開平１２７３５６号公報
【０００５】
即ち、上記ラミネート装置は、ラミネートフィルムを繰り出すフィルム供給部と、これから引き出されたラミネートフィルムが導かれるヒートローラと、これに対向する加圧ローラと、上記両ローラ間にプリント写真を挿入するための挿入ガイドとを備えて、上記ヒートローラでラミネートフィルムの片面の接着剤層を活性化した状態で、該接着剤層側にプリント面を向けて順次プリント写真を両ローラー間に導入することにより、複数枚のプリント写真を並列にラミネートフィルム上に並べて接着一体化するものである。
【０００６】
しかしながら、従来の上記のようなラミネート装置にあっては、連続ラミネートされた写真シートの隣接する写真と写真の間に不規則でかつ比較的大きな隙間を生じ易く、アルバムへの製本状態が必ずしも体裁の良いものになり難いという欠点があった。のみならず、上記装置は半自動タイプのものが普通で、これを用いてもラミネート処理にいささか人的労力を要するのみならず、簡易アルバムに製本するためには、ラミネート処理した写真配列シートに対して、更にその隣接する２枚づつの写真のうちの少なくとも一方の写真の裏面に別途貼着機を用いて両面接着テープを貼付する作業を必要とし、更には続いてこの両面接着テープを貼った２枚１組の写真を特別な治具を用いて背中合わせに貼合せるという、多数の作業工程を必要とし、簡易アルバムの製本完了までの工数が多くかかり、いささか面倒であるという難点があった。
【発明の開示】
【発明が解決しようとする課題】
【０００７】
本発明は、上記のような問題点を解決しうるラミネート装置を提供することを目的とする。更に具体的には、全自動的に多数枚のプリント写真を整然と、しかも隙間なく（比較的小さい隙間である概念を含む）並べた状態でラミネートフィルムでラミネートし、加えて、同時にこのラミネートされた写真列の背面側に、これも自動的に隣接する２枚の写真を背中合わせに貼合わせるための両面接着テープの貼付処理を自動遂行しうるものとした複合機能を備えたラミネート装置を提供することを目的とする。
【課題を解決するための手段】
【０００８】
本発明の１つは、下記［１］の構成を有するものである。
【０００９】
［１］多数枚のプリント写真を積重ね状に収容し、その最下位のものから順次１枚づつ前方に導出可能とした写真供給カセットと、
該写真供給カセットを着脱自在に装着可能としたラミネーター本体機とからなり、
該ラミネーター本体機は、片面に接着剤層を有するラミネートフィルムの供給リールを懸架するラミネートフィルム供給部と、
前記写真供給カセットの出口近傍位置の下方に設置され、前記ラミネートフィルム供給部から繰り出されたラミネートフィルムが接着剤層を上向きにして導かれる第１ヒートローラと、
両面接着テープの供給リールを懸架する両面テープ供給部と、
前記第１ヒートローラの前方位置に配置され、ラミネートフィルム上に粘着されたプリント写真列の裏面側に、前記両面テープ供給部から繰り出された両面接着テープを被覆状態に接着一体化する上下１対の第２ヒートローラ及び第３ヒートローラと、
前記第２及び第３ヒートローラの更に前方に配置され、ラミネートフィルム、プリント写真及び両面接着テープの積層物を両面から所定圧力で挟圧しつつ前方に送り出す１対の圧着ローラとを備え、
ラミネーター本体機の駆動により、前記第１ヒートローラ上でラミネートフィルムの上面側の活性化された接着剤層に、写真供給カセット内の最下位の１枚のプリント写真の前縁部下面を接着捕捉させ、該プリント写真をラミネートフィルムの走行に連行させてカセット内から引き出したのち、続いて順次次位のプリント写真を同様にラミネートフィルムに連行させるものとすることにより、ラミネートフィルム上に多数枚のプリント写真をほぼ隙間なく直列配列状態に接着せしめた写真配列シートを作成し、
続いて、この写真配列シートの写真列面上に、前記両面テープ供給部から繰出された両面接着テープを重ね、前記第２及び第３ヒートローラによって接着したのち、更に前記圧着ローラ間に通して強固に積層一体化させるものとなされていることを特徴とする、プリント写真のラミネート装置。
【００１０】
本発明の他の１つは、下記［２］の構成を有するものである。
【００１１】
［２］多数枚のプリント写真を積重ね状に収容し、その最下位のものから順次１枚づつ前方に導出可能とした写真供給カセットと、
該写真供給カセットを着脱自在に装着可能としたラミネーター本体機とからなり、
該ラミネーター本体機は、両面接着テープの供給リールを懸架する両面テープ供給部と、
前記写真供給カセットの出口近傍位置の下方に設置され、前記両面テープ供給部から繰り出された両面接着テープが粘着剤層を上向きにして導かれる搬送ローラと、
片面に接着剤層を有するラミネートフィルムの供給リールを懸架するラミネートフィルム供給部と、
前記搬送ローラの前方位置に配置され、両面接着テープ上に粘着されたプリント写真列の裏面側に、前記ラミネートフィルム供給部から繰り出されたラミネートフィルムを被覆状態に接着一体化する上下１対の第１ヒートローラ及び第２ヒートローラと、
前記第１及び第２ヒートローラの更に前方に配置され、両面接着テープ、プリント写真及びラミネートフィルムの積層物を両面から所定圧力で挟圧しつつ前方に送り出す１対の圧着ローラとを備え、
ラミネーター本体機の駆動により、前記搬送ローラ上で両面接着テープの上面側の粘着剤層に、写真供給カセット内の最下位の１枚のプリント写真の前縁部下面を接着捕捉させ、該プリント写真を両面接着テープの走行に連行させてカセット内から引き出したのち、続いて順次次位のプリント写真を同様に両面接着テープに連行させるものとすることにより、両面接着テープ上に多数枚のプリント写真をほぼ隙間なく直列配列状態に接着せしめた写真配列シートを作成し、
続いて、この写真配列シートの写真列面上に、前記ラミネートフィルム供給部から繰出されたラミネートフィルムを重ね、前記第１及び第２ヒートローラによって接着したのち、更に前記圧着ローラ間に通して強固に積層一体化させるものとなされていることを特徴とする、プリント写真のラミネート装置。
【００１２】
上記［１］［２］の各発明において、いずれも好ましい実施態様として、下記［３］〜［５］の構成を有するものとなしうる。
【００１３】
［３］第１ヒートローラの真上位置に、写真供給カセットに装填されたプリント写真の積層物の前縁部を弾力的に圧下するプレスブロックが設けられている前項［１］または［２］に記載のプリント写真のラミネート装置。
【００１４】
［４］写真供給カセットの出口に、該カセット内の最下位の１枚のプリント写真のみの導出を許容し、その上の２枚目以降のプリント写真の同時導出移動を阻止するべくせき止め作用を果すセパレーターが設けられている前項［１］〜［３］のいずれか１項に記載のプリント写真のラミネート装置。
【００１５】
［５］写真供給カセットの出口近傍位置の下方に、カセット内に収容されたプリント写真がラミネーター本体機の非作動時においてラミネートフィルムに接触するのを防止する解除可能なプロテクターが設けられている前項［１］〜［４］のいずれか１項に記載のプリント写真のラミネート装置。
【発明の効果】
【００１６】
上記［１］の発明においては、写真供給カセットに積重ね状態にして収めた多数枚のプリント写真を、下側のものから順次に、ラミネートフィルムの接着剤層に接着捕捉させ、該ラミネートフィルムの走行に伴って連行させるものとしていることにより、ラミネートフィルム上に並んだプリント写真の１枚づつの間の隙間が、全くゼロというわけではないとしても、極めて僅かな最小の隙間に設定されたものとなしうる。従って、２枚１組の写真シート単位を、ラミネートフィルムをヒンジに利用して２つ折り状に折り重ね、背中合わせに接合して写真シートユニットに作成した場合において、折り目がきれいに仕上がり、周辺に余計なフィルム残部が外観されないものとなるため、体裁の良い簡易アルバムを製作提供することができる。
【００１７】
しかも、ラミネートフィルムによるラミネート処理と、裏面側への両面接着テープの貼り込み処理とを、１台の装置で連続的に、しかも全自動的に遂行処理できる。従って、簡易アルバムの製作コストを低減できる。
【００１８】
前記［２］の発明は、前記［１］の発明の第１ヒートローラを加熱機能を有しない搬送ロールに転換してヒートローラを２本のみの装備とし、かつラミネートフィルム供給部と両面テープ供給部とを入れ替えたものとしているから、機械全体の製造コスト、運転コストの一層の削減をはかることができる。
【００１９】
従って、前記［１］の発明と同等の作用効果を奏することに加えて、一段とコスト削減をはかり得る点で有利なものである。
【発明を実施するための最良の形態】
【００２０】
図１〜図４は、本発明の前記［１］項に記載した構成に基づく好ましい第１の実施形態を示すものである。
【００２１】
図５は、本発明の前記［２］項に記載した構成に基づく好ましい第２の実施形態を示すものである。
【００２２】
そして、図６は第１実施形態のラミネート装置によるラミネート処理工程と両面テープの貼込み工程の処理状態を示すものであり、図７は簡易アルバムの製本状態の一例を示すものである。
【００２３】
［第１実施形態］
そこで、先ず上記第１実施形態について、図１〜４を参照して説明する。
【００２４】
本発明に係るプリント写真用ラミネート装置は、多数枚のプリント写真（ＰＨ）を積重ね状に収容し、その最下層のものから順次１枚づつ前方に導出可能とした写真供給カセット（２）と、該写真供給カセット（２）を着脱自在に装着可能としたラミネーター本体機（１）とを備える。
【００２５】
写真供給カセット（２）は、図４に示すように前面側の上面と出口（２０）側を開口したちり取り状のカセット本体（２１）と、該本体（２１）の上面開口を塞ぐ前後１対の分割蓋体（２２ａ）（２２ｂ）による着脱自在な蓋体（２２）とを有する。
【００２６】
カセット本体（２１）は、底壁が出口（２０）に向かってやや下り勾配に設定されており、その上に、所定多数枚のプリント写真（ＰＨ）を積重ね状態に収容しうるものとなされている。この収容した写真の積層物の位置決めのため、左右両側縁部及び後端部には、それぞれ位置調節自在なサイドガイド（２４）及びエンドガイド（２５）が装備されている。（２６）はそれらのガイドレール、（２７）は位置調節ハンドルを示す。
【００２７】
また、カセット本体（２１）には、その出口（２０）の近傍の下方位置に、カセット（２）内に収容されたプリント写真（ＰＨ）がラミネーター本体機（１）の非作動時においてラミネートフィルム（ＬＦ）に接触するのを防止する解除可能なプロテクター（２８）が設けられている。このプロテクター（２８）は、図３に示すように、軸（２８ａ）を中心に上下に揺動可能な作動片からなり、ラミネーターの非作動時においてはカセット内の写真（ＰＨ）の積層の前縁部を下方から持ち上げて、ラミネートフィルム（ＬＦ）に接触するのを防止する一方、愈々ラミネート作業を開始するときは、ラミネーター本体機（１）の電源スイッチのON操作に連動させて、または手動で作動片を下方へ回動させて、最下位の写真の前端部下面を後述の第１ヒートローラ（４）上のラミネートフィルム（ＬＦ）上面に当接させるものとなっている。
【００２８】
ラミネーター本体機（１）の構成は図１〜３に詳しく示される。
【００２９】
これらの図に示されるように、ラミネーター本体機（１）は、本体ケーシング（１０）内の下部に設けられたラミネートフィルム供給部（３）と、第１〜第３の３本のヒートロール（４）（５）（６）と、ケーシング（１０）の外面上方に設けられた両面テープ供給部（７）と、ケーシング（１０）内の出口近傍に設けられた１対の圧着ローラ（８）（９）とを備える。
【００３０】
ラミネートフィルム供給部（３）は、ラミネートフィルム（ＬＦ）の供給ロール（３１）を着脱自在に懸架する懸架台（３２）を有するものである。ラミネートフィルム（ＬＦ）は、片面にホットメルトからなる接着剤層が設けられたものである。
【００３１】
第１ヒートローラ（４）は、上記ラミネートフィルム供給部（３）から繰り出されたラミネートフィルム（ＬＦ）が、その接着剤層を上向きにして導かれるものであり、ラミネーター本体機（１）に写真供給カセット（２）をセッティングした状態において、その出口（２０）近傍の下方位置に設けられている。この第１ヒートローラ（４）は、その外周面に導かれたラミネートフィルム（ＬＦ）の接着剤層を活性化しうる温度に加熱可能なものであり、その表面温度を常時温度センサー（４１）（図１参照）で検知し制御しうるものとなされている。
【００３２】
両面テープ供給部（７）は、片面を離型紙で覆った両面接着テープ（ＡＴ）の供給リール（７１）を着脱自在に懸架する懸架台（７２）を有する。
【００３３】
そして、この両面テープ供給部（７）の下方位置において、ケーシング（１０）内に上下１対の第２及び第３ヒートローラ（５）（６）が設けられ、これらの両ローラ間に上記両面接着テープ（ＡＴ）を上方から導入しうるようになっている。
【００３４】
また、第２及び第３ヒートローラ（５）（６）は、第１ヒートローラ（４）を経由してラミネートフィルム（ＬＦ）の上面側にプリント写真（ＰＨ）がプリント面を下向きにして配列接着された写真配列シート（Ａ１）を導入し、該写真配列シート（Ａ１）の上面側に上記両面接着テープ（ＡＴ）を被覆状態に重ね合わせ、接着一体化しうるものとなされている。（６１）は第２ヒートローラ（１０６）の温度センサーである。
【００３５】
更にその前方に設けられた上下１対の圧着ローラ（８）（９）は、ラミネートフィルム（ＬＦ）、プリント写真（ＰＨ）及び両面接着テープ（ＡＴ）の積層物を両面から所定圧力で挟圧し積層物の接着一体化を強化しつつ前方に送り出す作用を担うものである。
【００３６】
第１ヒートローラ（４）の真上位置には、プレスブロック（１１）が設けられている。このプレスブロック（１１）は、左右に長い棒状のものであり、常時ばねによって下方に弾力的に付勢されたものとなされており、写真供給カセット（２）のセット時において、その中のプリント写真（ＰＨ）の積層物の前端部を上方から弾力的に押さえるようになっている。
【００３７】
プレスブロック（１１）の長さ方向中央部には、その前面側にセパレータ（１２）が配置されている。このセパレータ（１２）は、図３に示すように、カセット（２）の出口（２０）に近接位置して、第１ヒートロール（４）との間に１枚の写真の厚みより例えば０．０５mm程度大きい僅かの隙間をあけて設置されており、カセット（２）内の最下層の１枚の写真のみを出口（２０）から導出可能なものとし、２枚目以降の写真が連出されるのをせき止めて阻止しうるものとなされている。
【００３８】
上記プレスブロック（１１）及びセパレータ（１２）は、ハンドル（１３）（図１）によって昇降可能な揺動機構（１４）のアーム先端に付設されたもので、不要時には上昇位置にはね上げて待機せしめ得るものとなっている。
【００３９】
尚、ラミネートフィルム（ＬＦ）としては、一般にポリプロピレンフィルムやポリエチレンフィルムなどが用いられる。
【００４０】
次に、上記ラミネート装置を用いて行うラミネート作業手順と作用について説明する。
【００４１】
先ず、写真供給カセット（２）の中に所定枚数のプリント写真（ＰＨ）を積み重ね状態に装填したのち、該カセット（２）をラミネーター本体機（１）にセットする。
【００４２】
このセット時には、プロテクタ（２８）が図３に鎖線で示す上昇位置に在って写真（ＰＨ）の積層物の前縁部を下から持ち上げているため、最下位の写真の下面は第１ヒートローラ（４）上のラミネートフィルム（ＬＦ）の上方に離間して位置している。
【００４３】
そこで、ラミネート作業の開始に当って起動スイッチ（図示略）を投入すると共に、上記プロテクタ（２８）を下降させて上記のプロテクト状態を解除する。
【００４４】
これによって先ず、第１ヒートローラ（４）の加熱によって該ローラ上のラミネートフィルム（ＬＦ）の上面側の接着剤層が活性化される。そして、写真（ＰＨ）の積層物中の最下位の１枚の写真の前縁部下面がラミネートフィルム（ＬＦ）の上面の活性化されている接着剤によって接着捕捉され、ローラの回転に伴う該フィルムの移行に伴って、上記１枚の写真が前方へ連行される。このとき、セパレータ（１２）により２枚目の写真が摩擦力で同時連出されるのが確実に防止される。
【００４５】
次いでこの１枚の写真（ＰＨ）がカセット（２）の出口（２０）から完全に脱出した時点に至ると、次位の１枚の写真（ＰＨ）が積層物の自重と、プレスブロック（１１）による圧下作用とで最下位の位置にすぐさま下降し、その前縁部下面がラミネートフィルム（ＬＦ）上に接着捕捉され、前記同様に連行される。このような作用の繰返しにより、図６に示すようにラミネートフィルム（ＬＦ）上に、多数枚のプリント写真（ＰＨ）が、相互間にほとんど隙間をあけない状態で、一列に配列固定された写真配列シート（Ａ１）が形成される。
【００４６】
この写真配列シート（Ａ１）は、続いて第２及び第３ヒートローラ（５）（６）の間に導入される。ここで、両面テープ供給部（７）から繰出された両面接着テープ（ＡＴ）が、上記写真配列シート（Ａ１）の上面側に重ね合わされ、ヒートローラ（５）（６）による加熱作用を受けて接着一体化され、長尺の両面テープ付き写真ラミネートシートが形成され、これが更にその前方の加圧ローラ（８）（９）間に導かれて挟圧作用を受けることにより、ラミネートフィルム（ＬＦ）、プリント写真（ＰＨ）および両面接着テープ（ＡＴ）の三者が強固に積層接着一体化された写真ラミネートシート（Ａ）が完成される。
【００４７】
この写真ラミネートシート（Ａ）は例えば次のようにして簡易なブックアルバムに製本化される。即ち、図７に示すように、上記写真ラミネートシート（Ａ）を、隣接する写真（ＰＨ）同士の間の位置でラミネートフィルム（ＬＦ）をヒンジとしてつづれ折り状に折り畳み、２枚１組の隣接する写真の背面どおしを該裏面側の離型紙を剥し両面接着テープ（ＡＴ）の粘着剤層を利用して貼合わせる。
【００４８】
これによって所定頁数のアルバムの中身が完成する。そこでこの中身を、別途用意された表紙カバー（Ｂ）に装填し、綴じ込みあるいは接着等の手段で一体化してブック型の簡易アルバムを完成する。
【００４９】
［第２実施形態］
第２実施形態は、図５に示すラミネート装置であり、上記第１実施形態に対してラミネートフィルム供給部（１０７）と両面テープ供給部（１０３）とが入れ替わったものとなされ、これに伴って若干の改変が加えられているものである。即ち、第１実施形態における第１ヒートローラ（４）が、これに代えて、金属ローラ芯体に耐熱シリコーンゴムを焼付けて研磨した搬送ローラ（１０４）によって構成され、そしてヒートローラが第１ヒートローラ（１０５）と第２ヒートローラ（１０６）の２本だけで構成されているものである。
【００５０】
その他の構成事項は、前記第１実施形態の構成と同様であり、相互間の相当部分に同一符号を記入して再度の説明を省略する。
【００５１】
この第２実施形態の運転作動も前記の第１実施形態に準じるものである。
【００５２】
即ち、ラミネーター本体機（１）の駆動により、前記搬送ローラ（１０４）上で両面接着テープ（ＡＴ）の上面側の粘着剤層に、写真供給カセット（２）内の最下位の１枚のプリント写真（ＰＨ）の前縁部下面を当接させ、該プリント写真を両面接着テープ（ＡＴ）の走行に連行させてカセット（２）内から引き出したのち、続いて順次次位の最下位のプリント写真（ＰＨ）を同様に両面接着テープ（ＡＴ）に連行させるものとすることにより、該両面接着テープ（ＡＴ）上に多数枚のプリント写真（ＰＨ）をほぼ隙間なく直列配列状態に接着せしめた写真配列シート（Ａ１）を作成する。
【００５３】
続いて、この写真配列シート（Ａ１）の写真列面上に、前記ラミネートフィルム供給部（１０３）から繰出されたラミネートフィルム（ＬＦ）を重ね、前記第１及び第２ヒートローラ（１０５）（１０６）によって接着したのち、更に前記圧着ローラ（８）（９）間に通して強固に積層一体化させ、両面テープ付きの写真ラミネートシート（Ａ）を完成するものである。
【００５４】
なお、上記第１及び第２実施形態においては、両面接着テープ（ＡＴ）として、ラミネートフィルム（ＬＦ）の幅に対応する幅広テープからなるものを示したが、ラミネートフィルム（ＬＦ）上の写真列の両側縁部に沿って位置される２列の細幅テープからなるものを用いても良い。
【００５５】
また、第１実施形態のラミネート装置において、プリント写真の両面を透明フィルムでラミネートした両面ラミネート写真シートを作成する場合には、上方の両面テープ供給部（７）に、両面接着テープ（７１）の供給リール（７２）に代えて、ここにもラミネートフィルム（ＬＦ）をセッティングすることにより、前記同様の運転操作で自動的にかつ簡単に両面ラミネート写真シートを作成することができる。
【図面の簡単な説明】
【００５６】
【図１】本発明の第１実施形態によるラミネート装置の内部構成を示す側面図である。
【図２】同上の斜視図である。
【図３】図１に示したラミネート装置の要部を拡大して示した側面図である。
【図４】図１に示したラミネート装置の写真供給カセットを、蓋体を分離した状態で示した斜視図である。
【図５】本発明の第２実施形態に係るラミネート装置の内部構成を示した側面図である。
【図６】ラミネート処理工程と両面テープ貼り込み工程の処理状態を示す斜視図である。
【図７】簡易ブックアルバムの製作手順の一例を示す斜視図である。
【符号の説明】
【００５７】
１・・・ラミネーター本体機
２・・・写真供給カセット
３・・・ラミネートフィルム供給部
４・・・第１ヒートローラ
５・・・第２ヒートローラ
６・・・第３ヒートローラ
７・・・両面テープ供給部
８，９・・圧着ローラ
１０・・・本体機フレーム
１１・・・プレスブロック
１２・・・セパレータ
１０３・・ラミネートフィルム供給部
１０４・・搬送ローラ
１０５・・第１ヒートローラ
１０６・・第２ヒートローラ
１０７・・両面テープ供給部
ＰＨ・・・プリント写真
ＬＦ・・・ラミネートフィルム
ＡＴ・・・両面接着テープ
Ａ１・・・写真配列シート
Ａ・・・・両面テープ付き写真ラミネートシート
【図１】
2009220393.tif 000003
【図２】
2009220393.tif 000004
【図３】
2009220393.tif 000005
【図４】
2009220393.tif 000006
【図５】
2009220393.tif 000007
【図６】
2009220393.tif 000008
【図７】
2009220393.tif 000009